(57)【特許請求の範囲】
【請求項１】
基板、第１の長方形放射体、第２の長方形放射体、送りライン、第１のショート片および第２のショート片を備えるデュアルバンドパッチアンテナであって、
前記第１の長方形放射体は、第１のコーナー部および第２のコーナー部を有し、前記第１のコーナー部は前記第２のコーナー部の対角線上に設けられ、
前記第２の長方形放射体は、第３のコーナー部を有し、前記第２のコーナー部は前記第３のコーナー部と共面で直角に重畳されて重畳部が形成され、
前記送りラインは、前記重畳部上に位置する送り点に接続され、
前記第１のショート片は、前記第１の長方形放射体の前記第１のコーナー部上に位置する第１のショート点に接続され、
前記第２のショート片は、前記第２の長方形放射体の長辺の一方側に位置する第２のショート点に接続され、前記第２のショート点は、前記第３のコーナー部に隣接する前記第２の長方形放射体の短辺の一方側から所定距離で離され、前記第２の長方形放射体の長辺の一方は前記重畳部から離されて設けられ、
前記第１のショート片および前記第２のショート片は、前記基板上の接地面に接続されることを特徴とするデュアルバンドパッチアンテナ。
【請求項２】
前記第１の長方形放射体の二つの長辺は、それぞれ前記第２の長方形放射体の二つの短辺と平行であることを特徴とする請求項１記載のデュアルバンドパッチアンテナ。
【請求項３】
前記第１の長方形放射体の二つの長辺は、それぞれ前記第２の長方形放射体の二つの長辺と平行であることを特徴とする請求項１記載のデュアルバンドパッチアンテナ。
【請求項４】
前記送り点と前記第１のショート点との間の直線距離は、前記送り点と前記第２のショート点との間の直線距離と実質的に同じであることを特徴とする請求項１記載のデュアルバンドパッチアンテナ。
【請求項５】
前記基板と前記第１の長方形放射体および前記第２の長方形放射体の組み合わせとの間には、低誘電率発泡体が充填されることを特徴とする請求項１記載のデュアルバンドパッチアンテナ。
【請求項６】
基板、第１のカットコーナー長方形放射体、第２のカットコーナー長方形放射体、送りライン、第１のショート片および第２のショート片を備えるデュアルバンドパッチアンテナであって、
前記第１のカットコーナー長方形放射体は、第１のコーナー部および第１の接続辺を有し、前記第１の接続辺は、前記第１のコーナー部の対角線上に位置するカットコーナーの斜線であり、
前記第２のカットコーナー長方形放射体は、第２の接続辺を有し、前記第２の接続辺は、前記第２のカットコーナー長方形放射体のカットコーナーの斜線であり、前記第１の接続辺は前記第２の接続辺と共面で位置が合わされて接続され、
前記送りラインは、前記第１の接続辺および前記第２の接続辺の結合箇所上に位置する送り点に接続され、
前記第１のショート片は、前記第１のカットコーナー長方形放射体の前記第１のコーナー部上に位置する第１のショート点に接続され、
前記第２のショート片は、前記第２のカットコーナー長方形放射体の長辺の一方側に位置する第２のショート点に接続され、前記第２のショート点は、前記第２の接続辺に隣接する前記第２のカットコーナー長方形放射体の前記ショート点から所定距離で離され、前記第２のカットコーナー長方形放射体の長辺の一方は前記第１の接続辺および前記第２の接続辺の接合箇所から離されて設けられ、
前記第１のショート片および前記第２のショート片は、前記基板上の接地面に接続されることを特徴とするデュアルバンドパッチアンテナ。
【請求項７】
前記第１のカットコーナー長方形放射体の二つの長辺は、それぞれ前記第２のカットコーナー長方形放射体の二つの短辺と平行であることを特徴とする請求項６記載のデュアルバンドパッチアンテナ。
【請求項８】
前記第１のカットコーナー長方形放射体の二つの長辺は、それぞれ前記第２のカットコーナー長方形放射体の二つの長辺と平行であることを特徴とする請求項６記載のデュアルバンドパッチアンテナ。
【請求項９】
前記送り点と前記第１のショート点との間の直線距離は、前記送り点と前記第２のショート点との間の直線距離と実質的に同じであることを特徴とする請求項６記載のデュアルバンドパッチアンテナ。
【請求項１０】
前記基板と前記第１のカットコーナー長方形放射体および前記第２のカットコーナー長方形放射体の組み合わせとの間には、低誘電率発泡体が充填されることを特徴とする請求項６記載のデュアルバンドパッチアンテナ。
【発明の詳細な説明】
【技術分野】
【０００１】
本発明はパッチアンテナに関し、特に実質上二つの長方形の放射体が結合されたデュアルバンドパッチアンテナに関する。
【背景技術】
【０００２】
通信技術の発展に伴い、通信技術を使用するアプリケーションも日々増加し、関連する製品も多様化してきている。特に近年、消費者が通信アプリケーションに対して高い機能を求めるに従い、異なる設計および機能を備える通信アプリケーションが次々と市場に現れている。特に、無線通信機能を備えたコンピュータネットワークが最近の主流となっている。さらに、集積回路（ＩＣ）技術の進歩に伴い、製品は軽薄短小に向かって発展している。
【０００３】
通信製品のアンテナは、主に信号を放射したり受信したりするために使用される要素であり、現在の無線製品で使用されているアンテナが市場で広く受け入れられて評価されるためには、小型で高機能そして低価格という特徴が必要であった。また、操作の必要性に応じて通信製品が有する機能はそれぞれ異なるため、信号の放射または受信に使用されるアンテナ設計には様々な種類があり、その中でもパッチアンテナは非常によく使用されている。このパッチアンテナでは、アンテナに高い利得および広帯域性能を持たせるため、基板と放射金属板との距離を増大させてアンテナの放射効率および動作帯域を向上させている。そして、一般にアンテナ特性は、動作周波数、放射パターン、リターンロスおよびアンテナ利得などのパラメータにより表される。そのため、パッチアンテナを設計するときは、基板と放射金属板との適当な距離や良好なアンテナ特性を同時に考慮しなければならなかった。
【０００４】
一方、従来のデュアルバンドアンテナは、比較的小さな周波数領域のみをカバーするだけであるため、それぞれ特定の領域で使用されるだけであった。例えば、日本、ヨーロッパおよびアメリカ合衆国では周波数幅が異なるため、それぞれの地域では異なるデュアルバンドアンテナを使用する必要があった。
【０００５】
しかしながら、従来のパッチアンテナ（特に従来のデュアルバンドパッチアンテナ）では、低コスト、小型、高アンテナ利得、広動作帯域および良好な放射パターンを有すると同時に広い周波数という特性を備えることは困難であった。そのため、従来のパッチアンテナのアプリケーションは大きく制限された。
【０００６】
上述したような従来のパッチアンテナが有する欠点を克服するため、広い周波数領域、小型、高利得、広動作帯域、簡単な設計そして低コストなどといったアンテナ特性を備えるデュアルバンドパッチアンテナの開発が強く求められている。
【０００７】
上述したことから分かるように、従来のパッチアンテナは上述のアンテナ特性を達成することができなかったため、周波数幅が異なる地域ではそのアプリケーションが大幅に限定されていた。
【発明の開示】
【発明が解決しようとする課題】
【０００８】
本発明の第１の目的は、周波数が異なる領域でも応用できる広い周波数領域を有するデュアルバンドパッチアンテナを提供することにある。
本発明の第２の目的は、軽薄短小の要求に合致するデュアルバンドパッチアンテナを提供することにある。
【課題を解決するための手段】
【０００９】
上述の目的を達成するため、本発明はデュアルバンドパッチアンテナを提供する。このデュアルバンドパッチアンテナは第１の長方形放射体および第２の長方形放射体を備える。第１の長方形放射体は、第１のコーナー部および第２のコーナー部を有し、第２のコーナー部は第１のコーナー部の対角線上に設けられる。第２の長方形放射体は第３のコーナー部を有し、第２のコーナー部は第３のコーナー部と共面で直角に重畳されて重畳部が形成される。また、第１の長方形放射体の二つの長辺は、それぞれ第２の長方形放射体の短辺または長辺と平行である。さらに、送りラインは重畳部上に位置する送り点に接続される。第１のショート片は、第１の長方形放射体の第１のコーナー部上に位置する第１のショート点に接続される。第２のショート片は、第２の長方形放射体の長辺側に位置する第２のショート点に接続され、第２のショート点は、第３のコーナー部に隣接する第２の長方形放射体の短辺から所定距離で離され、長辺は重畳部から離されて設けられる。
【００１０】
また、本発明のデュアルバンドパッチアンテナは、第１のコーナー部および第１の接続辺を有する第１のカットコーナー長方形放射体と、第２の接続辺を有する第２のカットコーナー長方形放射体とから構成されてもよい。第１の接続辺は、第１のコーナー部の対角線上に位置するカットコーナーの斜線であり、第２の接続辺は、第２のカットコーナー長方形放射体のカットコーナーの斜線であり、第１の接続辺は第２の接続辺と共面で位置が合わされて接続される。送りラインは、第１の接続辺および第２の接続辺の結合箇所上に位置する送り点に接続される。第１のショート片は、第１のカットコーナー長方形放射体の第１のコーナー部上に位置する第１のショート点に接続され、第２のショート片は、第２のカットコーナー長方形放射体の長辺の一方側に位置する第２のショート点に接続され、第２のショート点は、第２の接続辺に隣接する第２のカットコーナー長方形放射体の短辺の一方側から所定距離で離され、長辺の一方は第１の接続辺および第２の接続辺の接合箇所から離されて設けられる。
【発明の効果】
【００１１】
本発明のデュアルバンドパッチアンテナは、広い周波数領域を有し、軽薄短小の要求を満たすことができる。
【発明を実施するための最良の形態】
【００１２】
以下、本発明の実施形態を図面に基づいて説明する。
本発明の特徴は、多辺形パッチを含む金属加工のアンテナを提供することにある。この多辺形パッチは、二つの長方形放射体（放射金属パッチ）がシャム双生児のような形状に結合されたものであり、それぞれの長方形放射体は小型化のためのショート片を有し、この金属加工されたアンテナは二つの長方形放射体の重畳部へ接続される一つの共通の探触子送りを含む。
【００１３】
図１Ａ〜図１Ｄを参照。図１Ａ〜図１Ｄは、それぞれ本発明の第１実施形態によるデュアルバンドパッチアンテナ１００を示す斜視図、平面図、正面図および側面図である。デュアルバンドパッチアンテナ１００は、主に第１の長方形放射体１１０および第２の長方形放射体１２０からなる金属放射要素を備える。図１Ｂに示すように、第１の長方形放射体１１０は第１のコーナー部１１４および第２のコーナー部１１２を有し、第１のコーナー部１１４は第２のコーナー部１１２の対角線上に位置する。第２の長方形放射体１２０は第３のコーナー部１２２を有し、第２のコーナー部１１２と第３のコーナー部１２２とは共面で直角に重畳されて重畳部１５０が形成される。この重畳部１５０の形状は長方形または正方形である。
【００１４】
また、デュアルバンドパッチアンテナ１００は第１のカットコーナー長方形放射体および第２のカットコーナー長方形放射体から構成することもできる。所謂第１のカットコーナー長方形放射体とは接続辺１５２で第２のコーナー部１１２の一部が切り取られた第１の長方形放射体１１０であり、例えば、接続辺１５２上で第１の長方形放射体１１０の一部が切り取られたものである。同様に、所謂第２のカットコーナー長方形放射体とは接続辺１５２で第２の長方形放射体１２０の一部が切り取られたものである。第１のカットコーナー長方形放射体は第１のコーナー部１１４および第１の接続辺（接続辺１５２で示される）を有し、第２のカットコーナー長方形放射体は第２の接続辺（接続辺１５２で示される）を有し、第１の接続辺は、第１のコーナー部１１４の対角線上に位置するカットコーナー（第２のコーナー部１１２で示される）の斜線であり、第２の接続辺は第２のカットコーナー長方形放射体のカットコーナー（第３のコーナー部１２２で示す）の斜線であり、第１の接続辺は第２の接続辺と共面で位置合わせされて接続される。そのため、第１実施形態による金属放射要素は、二つのカットコーナー長方形放射体を直接に結合される。
【００１５】
図１Ａおよび図１Ｂに示すように、第１の長方形放射体１１０の長辺１１８ａ、１１８ｂは、それぞれ第２の長方形放射体１２０の短辺１２６ａ、１２６ｂと平行であり、第１の長方形放射体１１０の短辺１１６ａ、１１６ｂは、それぞれ第２の長方形放射体１２０の長辺１２４ａ、１２４ｂと平行である。送りライン１４０は、重畳部１５０または前述した二つのカットコーナー長方形放射体の結合箇所（接続辺１５２で示される）上に位置する送り点Ｆへ接続され、第１のショート片１３０ａは、第１の長方形放射体１１０の第１のコーナー部１１４上に位置する第１のショート点Ｓ１へ接続され、第２のショート片１３０ｂは、第２の長方形放射体１２０の長辺１２４ｂ上に位置する第２のショート点Ｓ２へ接続され、第２のショート点Ｓ２は短辺１２６ａから所定距離Ｌで離されている。また長辺１２４ｂは、重畳部１５０または接続辺１５２から離されて（隣接せずに）設けられる。送り点Ｆと第１のショート点Ｓ１との間の直線距離は、例えば送り点Ｆおよびショート点Ｓ１、Ｓ２が二等辺三角形を形成するなど、送り点Ｆと第２のショート点Ｓ２との間の直線距離とほぼ同じである。そのため、デュアルバンドパッチアンテナの帯域を増大させてＩＥＥＥ８０２．１１ｂ／ｇ／ａ／ｊまたはブルートゥース規格へ適用することができる。
【００１６】
送りライン１４０は、探触子送り、マイクロストリップ伝送線路、同軸型給電線路またはその他の電磁信号伝送線路にすることができる。本実施形態のデュアルバンドパッチアンテナの金属放射要素は黄銅からなり、第１のショート片１３０ａおよび第２のショート片１３０ｂを支持要素として使用して基板（図示せず）上に設置することができ、導電材料からなる設置面が基板上に形成される。第１のショート片１３０ａおよび第２のショート片１３０ｂは基板上に設置された設置面へ接続され、基板と第１の長方形放射体１１０および第２の長方形放射体１２０の組み合わせとの間を空気または低誘電率発泡体で充填することによりアンテナの放射効率および動作帯域を向上させることができる。
【００１７】
第１実施形態によるデュアルバンドパッチアンテナのサイズは非常に小さいため軽薄短小の要求を満たすことができる。例えば、第１の長方形放射体１１０は第２の長方形放射体１２０よりも小さい。第１の長方形放射体１１０の長辺１１８ｂは約８〜１５ｍｍであり、短辺１１６ａは約６．５〜１０．５ｍｍである。第２の長方形放射体１２０の長辺１２４ｂは約２５〜３５ｍｍであり、短辺１２６ｂは約９〜１７ｍｍである。重畳部１５０は、送りライン１４０に適合するサイズの領域であり、送りライン１４０の半径は約０．１５〜１．５ｍｍである。第２のショート点Ｓ２と短辺１２６ａとの間の所定距離Ｌは、短辺１２６ｂの長さにほぼ等しい。第１のショート片１３０ａおよび第２のショート片１３０ｂの高さは約５〜７ｍｍである。
【００１８】
図２Ａ〜図２Ｄを参照。図２Ａ〜図２Ｄは、それぞれ本発明の第２実施形態によるデュアルバンドパッチアンテナ２００を示す斜視図、平面図、正面図および側面図である。デュアルバンドパッチアンテナ２００は、主に第１の長方形放射体２１０および第２の長方形放射体２２０からなる金属放射要素を備える。図２Ｂに示すように、第１の長方形放射体２１０は第１のコーナー部２１４および第２のコーナー部２１２を有し、第１のコーナー部２１４は第２のコーナー部２１２の対角線上に位置する。第２の長方形放射体２２０は第３のコーナー部２２２を有し、第２のコーナー部２１２と第３のコーナー部２２２とは共面で直角に重畳されて重畳部２５０が形成される。この重畳部２５０の形状は長方形または正方形である。第１実施形態で述べたように、デュアルバンドパッチアンテナ２００は第１のカットコーナー長方形放射体および第２のカットコーナー長方形放射体から構成されてもよい。図２Ａおよび図２Ｂに示すように、第２実施形態は第１実施形態と異なり、第１の長方形放射体２１０の長辺２１８ａ、２１８ｂは、それぞれ第２の長方形放射体２２０の長辺２２４ａ、２２４ｂと平行である。送りライン２４０は、重畳部２５０上に位置する送り点Ｆまたは二つのカットコーナー長方形放射体の結合箇所（接続辺２５２）に接続され、第１のショート片２３０ａは第１のコーナー部２１４上に位置する第１のショート点Ｓ１へ接続され、第２のショート片２３０ｂは第２の長方形放射体２２０の長辺２２４ｂ上に位置する第２のショート点Ｓ２に接続され、第２のショート片２３０ｂは短辺２２６ａと所定距離Ｌで離される。送り点Ｆと第１のショート点Ｓ１との間の直線距離は、例えば送り点Ｆおよびショート点Ｓ１、Ｓ２が二等辺三角形を形成するなど、送り点Ｆと第２のショート点Ｓ２との間の直線距離とほぼ同じである。
【００１９】
第２実施形態によるデュアルバンドパッチアンテナのサイズは非常に小さいため、軽薄短小の要求を満たすことができる。例えば、第１の長方形放射体２１０は第２の長方形放射体２２０よりも小さい。第１の長方形放射体２１０の長辺２１８ｂは約８〜１５ｍｍであり、短辺２１６ａは約７〜１１ｍｍである。第２の長方形放射体２２０の長辺２２４ｂは約２５〜３５ｍｍであり、短辺２２６ｂは約９〜１７ｍｍである。重畳部２５０は、送りライン２４０に適合する大きさの領域であり、送りライン２４０の半径は約０．１５〜１．５ｍｍである。第２のショート点Ｓ２と短辺２２６ａとの間の所定距離Ｌは、短辺２２６ｂの長さにほぼ等しく、この距離は１３ｍｍであることが望ましい。第１のショート片２３０ａおよび第２のショート片２３０ｂの高さは約５〜７ｍｍである。
【００２０】
ここで注意しなければならないことは、本発明の第１実施形態および第２実施形態で述べた位置、サイズ、各要素の材料、ショートおよび送り点の位置は単に説明のために述べただけであり、当然これだけに限定されるわけではない。
【００２１】
本実施形態のデュアルバンドパッチアンテナは、実験結果から分かるように非常に優れたアンテナ特性を備え、約２．４５ＧＨｚおよび５．４ＧＨｚで操作されるＩＥＥＥ８０２．１１ｂ／ｇ／ａ／ｊまたはブルートゥース規格に必要な帯域を完全にカバーすることができる。
【００２２】
図３Ａおよび図３Ｂを参照。図３Ａおよび図３Ｂは、本発明の第１実施形態および第２実施形態によるデュアルバンドパッチアンテナを実験したときのリターンロスと周波数との関係を示したグラフである。図３Ａに示すように、約２．４５ＧＨｚで操作されるとき、デュアルバンドパッチアンテナの１０−ｄＢ周波数帯域は約１３８ＭＨｚであり、最大リターンロスは１３．４５ｄＢｉであり、約５．４ＧＨｚで操作されるとき、デュアルバンドパッチアンテナの１０−ｄＢ周波数帯域は約１０１０ＭＨｚであり、最大リターンロスは１３．４５ｄＢｉである（約５．３１４ＧＨｚ）。図３Ｂに示すように、約２．４５ＧＨｚで操作されるとき、デュアルバンドパッチアンテナの１０−ｄＢ周波数帯域は約１３５ＭＨｚであり、最大リターンロスは１３．１５ｄＢｉ（約２．４４４ＧＨｚ）であり、約５．４ＧＨｚで操作されるとき、デュアルバンドパッチアンテナの１０−ｄＢ周波数帯域は約１００７ＭＨｚであり、最大リターンロスは２４ｄＢｉである（約５．３１４ＧＨｚ）。
【００２３】
図４Ａ〜図４Ｄを参照。図４Ａおよび図４Ｂは、本発明の第１実施形態によるデュアルバンドパッチアンテナが２．４５ＧＨｚ、Φ＝０°およびΦ＝９０°でそれぞれ操作されたときの垂直面の放射パターンを示すグラフである。図４Ｃおよび図４Ｄは、本発明の第１実施形態によるデュアルバンドパッチアンテナが５．３１４ＧＨｚ、Φ＝０°およびΦ＝９０°でそれぞれ操作されたときの垂直面の放射パターンを示すグラフである。図４Ａ〜図４Ｄから分かるように、本発明の第１実施形態によるデュアルバンドパッチアンテナは、二つの中心周波数（２．４５ＧＨｚおよび５．３１４ＧＨｚ）において、優れた放射パターンを示すため、ユーザの要求に合致させることができる。
【００２４】
図５Ａ〜図５Ｄを参照。図５Ａおよび図５Ｂは、本発明の第２実施形態によるデュアルバンドパッチアンテナが２．４４４ＧＨｚ、Φ＝０°およびΦ＝９０°で操作されたときの垂直面の放射パターンを示すグラフである。図５Ｃおよび図５Ｄは、本発明の第２実施形態によるデュアルバンドパッチアンテナが５．３０９ＧＨｚ、Φ＝１０°およびΦ＝９０°でそれぞれ操作されたときの垂直面の放射パターンを示すグラフである。図５Ａ〜図５Ｄを見ると分かるように、本発明の第１実施形態によるデュアルバンドパッチアンテナは、二つの中心周波数（２．４４４ＧＨｚおよび５．３０９ＧＨｚ）において、優れた放射パターンを示し、ユーザの要求を満たすことができる。
【００２５】
上述したように、本発明の好適な実施形態のデュアルバンドパッチアンテナは、広い周波数領域、単純な構造、小さいサイズ、軽量といった長所を備える。
【００２６】
本発明では好適な実施形態を前述の通り開示したが、これらは決して本発明を限定するものではなく、当該技術を熟知するものなら誰でも、本発明の主旨と領域を脱しない範囲内で各種の変更や修正を加えることができる。従って本発明の保護の範囲は、特許請求の範囲で指定した内容を基準とする。
【図面の簡単な説明】
【００２７】
【図１Ａ】本発明の第１実施形態によるデュアルバンドパッチアンテナを示す斜視図である。
【図１Ｂ】本発明の第１実施形態によるデュアルバンドパッチアンテナを示す平面図である。
【図１Ｃ】本発明の第１実施形態によるデュアルバンドパッチアンテナを示す正面図である。
【図１Ｄ】本発明の第１実施形態によるデュアルバンドパッチアンテナを示す側面図である。
【図２Ａ】本発明の第２実施形態によるデュアルバンドパッチアンテナを示す斜視図である。
【図２Ｂ】本発明の第２実施形態によるデュアルバンドパッチアンテナを示す平面図である。
【図２Ｃ】本発明の第２実施形態によるデュアルバンドパッチアンテナを示す正面図である。
【図２Ｄ】本発明の第２実施形態によるデュアルバンドパッチアンテナを示す側面図である。
【図３Ａ】本発明の第１実施形態によるデュアルバンドパッチアンテナを実験したときのリターンロスと周波数との関係を示すグラフである。
【図３Ｂ】本発明の第２実施形態によるデュアルバンドパッチアンテナを実験したときのリターンロスと周波数との関係を示すグラフである。
【図４Ａ】本発明の第１実施形態によるデュアルバンドパッチアンテナが２．４５ＧＨｚ、Φ＝０°で操作されたときの垂直面の放射パターンを示すグラフである。
【図４Ｂ】本発明の第１実施形態によるデュアルバンドパッチアンテナが２．４５ＧＨｚ、Φ＝９０°で操作されたときの垂直面の放射パターンを示すグラフである。
【図４Ｃ】本発明の第１実施形態によるデュアルバンドパッチアンテナが５．３１４ＧＨｚ、Φ＝０°で操作されたときの垂直面の放射パターンを示すグラフである。
【図４Ｄ】本発明の第１実施形態によるデュアルバンドパッチアンテナが５．３１４ＧＨｚ、Φ＝９０°で操作されたときの垂直面の放射パターンを示すグラフである。
【図５Ａ】本発明の第２実施形態によるデュアルバンドパッチアンテナが２．４４４ＧＨｚ、Φ＝０°で操作されたときの垂直面の放射パターンを示すグラフである。
【図５Ｂ】本発明の第２実施形態によるデュアルバンドパッチアンテナが２．４４４ＧＨｚ、Φ＝９０°で操作されたときの垂直面の放射パターンを示すグラフである。
【図５Ｃ】本発明の第２実施形態によるデュアルバンドパッチアンテナが５．３０９ＧＨｚ、Φ＝１０°で操作されたときの垂直面の放射パターンを示すグラフである。
【図５Ｄ】本発明の第２実施形態によるデュアルバンドパッチアンテナが５．３０９ＧＨｚ、Φ＝９０°で操作されたときの垂直面の放射パターンを示すグラフである。
【符号の説明】
【００２８】
１００、２００  デュアルバンドパッチアンテナ、１１０、２１０  第１の長方形放射体、１２０、２２０  第２の長方形放射体、１１２、２１２  第２のコーナー部、１１４、２１４  第１のコーナー部、１１６ａ、１１６ｂ、１２６ａ、１２６ｂ、２１６ａ、２１６ｂ、２２６ａ、２２６ｂ  短辺、１１８ａ、１１８ｂ、１２４ａ、１２４ｂ、２１８ａ、２１８ｂ、２２４ａ、２２４ｂ  長辺、１２２、２２２  第３のコーナー部、１３０ａ、２３０ａ  第１のショート片、１３０ｂ、２３０ｂ  第２のショート片、１４０、２４０  送りライン、１５０、２５０  重畳部、１５２、２５２  接続辺、Ｆ  送り点、Ｌ  所定距離、Ｓ１  第１のショート点、Ｓ２  第２のショート点
【図１Ａ】
0004664803.tif 000002
【図１Ｂ】
0004664803.tif 000003
【図１Ｃ】
0004664803.tif 000004
【図１Ｄ】
0004664803.tif 000005
【図２Ａ】
0004664803.tif 000006
【図２Ｂ】
0004664803.tif 000007
【図２Ｃ】
0004664803.tif 000008
【図２Ｄ】
0004664803.tif 000009
【図３Ａ】
0004664803.tif 000010
【図３Ｂ】
0004664803.tif 000011
【図４Ａ】
0004664803.tif 000012
【図４Ｂ】
0004664803.tif 000013
【図４Ｃ】
0004664803.tif 000014
【図４Ｄ】
0004664803.tif 000015
【図５Ａ】
0004664803.tif 000016
【図５Ｂ】
0004664803.tif 000017
【図５Ｃ】
0004664803.tif 000018
【図５Ｄ】
0004664803.tif 000019